(57)【要約】【課題】冷却性能に優れた冷蔵庫の断熱箱体を提供する。【解決手段】  外箱と真空断熱材との間の外側空間部と、前記真空断熱材と内箱との間の内側空間部とを前記真空断熱材により完全に分離し、真空断熱材が外箱と内箱との空間部の全域に設置し、真空断熱材のカバー率を向上させる。しかも、外箱と真空断熱材との間の外側空間部と、真空断熱材と内箱との間の内側空間部とのバランスを常時保ち、これにより、これらの空間部に発泡断熱材を注入しても発泡断熱材がバランス良く発泡成長し、品質のよい断熱箱体を提供でき、冷却性能に優れた冷蔵庫となる。【選択図】  図２
2010145002.tif 000002
【特許請求の範囲】
【請求項１】
外箱と、内箱と、前記外箱と内箱との間の空間部に設けられた真空断熱材と、前記真空断熱材を除いて前記空間部に充填される発泡断熱材とを備え、前記外箱と真空断熱材との間の空間部と、前記真空断熱材と内箱との間の空間部とが、前記真空断熱材により完全に分離されたことを特徴とする冷蔵庫の断熱箱体。
【請求項２】
外箱の前面側と内箱との接合部において、その裏面と真空断熱材の側端面とが密接され、前記フランジ周辺における外箱と真空断熱材と間の外側空間部と、前記真空断熱材と内箱との間の内側空間部とが完全に分離されたことを特徴とする請求項１に記載の冷蔵庫の断熱箱体。
【請求項３】
外箱と、内箱と、前記外箱と内箱との間の空間部に設けられた真空断熱材とを備え、前記空間部は、冷蔵庫本体の両側面部、天面部、底面部および背面部に形成され、これらの空間部に夫々真空断熱材が設置され、これら真空断熱材の各側端縁同士が密着されたことを特徴とする請求項１又は２記載の冷蔵庫の断熱箱体。
【請求項４】
冷蔵庫本体の両側面部、天面部、底面部および背面部の空間部に夫々設置される真空断熱材の各側端縁同士は、真空断熱材の真空破壊あるいは注入する断熱材の通過が発生しないようにシーラーにより接合されたことを特徴とする請求項１、２又は３に記載の冷蔵庫の断熱箱体。
【請求項５】
外箱と真空断熱材との間の外側空間部と、前記真空断熱材と内箱との間の内側空間部とに、断熱発泡材をそれぞれ別々に注入させる注入手段が設けられたことを特徴とする請求項１〜４のいずれかに記載の冷蔵庫の断熱箱体。
【請求項６】
冷蔵庫本体の背面側に発泡断熱材を注入する注入口が設けられ、該注入口に対応して前記真空断熱材又はシーラー部に注入口からの発泡断熱材を内側空間部に導く中間注入孔が形成され、該中間注入孔が開閉自在とされたことを特徴とする請求項５に記載の冷蔵庫の断熱箱体。
【請求項７】
請求項１〜６のいずれかに記載の断熱箱体の内部または外部に冷凍サイクルが設けられたことを特徴とする冷蔵庫。
【請求項８】
外箱と内箱との間の空間部に設けられた真空断熱材により、外箱と前記真空断熱材との間の外側空間部と、前記真空断熱材と内箱との間の内側空間部とを、前記真空断熱材により完全に分離し、前記内側空間部と外側空間部にそれぞれ別々に発泡断熱材を注入し、発泡成長させることを特徴とする冷蔵庫の断熱箱体の製造方法。
【発明の詳細な説明】
【技術分野】
【０００１】
本発明は、外箱と内箱の中間に真空断熱材を埋設させ、断熱空間に発泡断熱材を注入して発泡形成を行う冷蔵庫の断熱箱体およびその製造方法に関するものである。
【背景技術】
【０００２】
この種の冷蔵庫の断熱箱体は、例えば、特許文献１に示すように、外箱と内箱の中間に真空断熱材を埋設させ、真空断熱材とウレタン発泡断熱材との複合層部分と、ウレタン発泡断熱材のみの単層部分とが存在している。
【０００３】
図５は冷蔵庫本体の背面斜視図である。冷蔵庫本体１の背面板２にはウレタン注入孔５が形成されている。冷蔵庫本体１の下部には庫内を冷却するための冷却装置を収納する機械室３が設けられている。
【０００４】
図６は従来の冷蔵庫本体の正面図である。冷蔵庫本体１の両側面には、外箱４と内箱７の中間に真空断熱材６が埋設配置されている。また、冷蔵庫本体の両側面部の間には、それぞれ庫内温度が異なる各庫内を上下に区分けする仕切壁８が設けられている。
【０００５】
図７は図６のＣ−Ｃ断面図である。図に示すように、冷蔵庫本体１の両側面部において、外箱４と内箱７の中間に真空断熱材６が設置され、また、冷蔵庫本体１の背面板２に真空断熱材６が貼り付け設置されている。背面板側の真空断熱材６は、冷蔵庫本体１の両側面部の真空断熱材６のように中間位置に設置されておらず、背面板２に接触して配置されている。また、真空断熱材６は、それぞれ独立しており、断熱箱体の断熱部として、ウレタン発泡断熱材９だけの箇所１５と、ウレタン発泡断熱材９と真空断熱材６とが複合されている箇所１６とに分かれている。
【０００６】
図８は図６のＡ−Ａ断面図においてウレタン原液を注入し、ウレタン発泡を行っている状態で示す図である。図８においては、外箱４と内箱７との間の空間部にウレタン原液を注ぎ込まれた後、本体前面部から背面部に向かってウレタン発泡９が開始され、発泡成長している様子を示している。
【０００７】
外箱４と真空断熱材６の間の空間部１０ａと、真空断熱材６と内箱４の間の空間部１０ｂとでは、ウレタン発泡の流動状態がアンバランスになっている場合、ウレタン発泡９の成長度合いが異なることがある。このように、ウレタン発泡９の成長度合いが異なると、やがて数箇所から発泡先端部が寄り合う集結部において、ウレタン発泡の空洞部が発生したり、あるいは発泡ウレタンの樹脂や泡の強度不足が発生する。これらの原因により、冷却性能の不良になったり、あるいは冷蔵庫本体の外観に様々な変形などのトラブルが発生する。
【０００８】
図９は図８のＤ範囲の拡大図である。冷蔵庫本体１の背面板２に形成されたウレタン注入孔５（図５参照）に注入ヘッド１３が挿入され、ウレタン原液９が注入されている様子を示している。ウレタン原液９は、一旦、本体１の前面部に落下して滞留し、その後、化学反応により発泡が開始され、外箱４と真空断熱材６との間の空間部１０ａ、および真空断熱材６と内箱７との間の空間部１０ｂに分かれて発泡成長していく。  
【特許文献１】特開２００７−１９８６２２号公報
【発明の開示】
【発明が解決しようとする課題】
【０００９】
ところで、特許文献１に示すように、真空断熱材６は、ガスの透過を阻止する多層ラミネート構造のフィルムから成る外被袋と、シリカ・パーライント等の微粉末もしくは無機繊維等からなる芯材とから構成され、芯材を外被に封入した後、外被袋内のガス（空気）を排気し、真空状に減圧してヒートシールにより密封している。
【００１０】
この真空断熱材の熱伝導率は、０．００８から０．０００５Ｗ／ｍ・Ｋと断熱性能が非常に優れているため、断熱箱体の壁厚を薄くしても、庫内に侵入してくる熱量を有効的に削減することが可能である。
【００１１】
したがって、外箱と内箱の中間に埋設する真空断熱材の面積（カバー率）を向上させることが重要であるが、真空断熱材の面積を向上させるには限界がある。これは、外箱と内箱との間の空間部において、真空断熱材とウレタン発泡断熱材との複合層部分（図７の符号１６参照）のみならず、外箱と内箱との間の空間部の構造上、ウレタン発泡断熱材のみの断熱単層（図７の符号１５参照）とが存在し、必ずしも複合層のみにできないからである。
【００１２】
また、冷蔵庫本体１の前面部において、外箱４の折り曲げフランジ４ａの裏面と真空断熱材６の側端面との間には空間部１７があり、冷蔵庫本体の背面板２からウレタン原液９を注入していくと、外箱４の折り曲げフランジ４ａの裏面から発泡成長していくウレタン断熱材が、外箱４と真空断熱材６との間の空間部１０ａと、真空断熱材６と内箱７との間の空間部１０ｂとにバランスよく成長することができないおそれがある。これらのバランスが悪いと、最終的に発泡成長した発泡断熱材９に空洞部や発泡強度不足が発生し、これに起因して、冷却性能や外観不良を起こすといった問題があった。
【００１３】
本発明は、上記に鑑み、冷却性能に優れた冷蔵庫の断熱箱体およびその製造方法の提供を目的としている。
【課題を解決するための手段】
【００１４】
上記目的を達成するため、本発明に係る冷蔵庫の断熱箱体は、外箱と、内箱と、前記外箱と内箱との間の空間部に設けられた真空断熱材と、前記真空断熱材を除いて前記空間部に充填される発泡断熱材とを備え、前記外箱と真空断熱材との間の空間部と、前記真空断熱材と内箱との間の空間部とが、前記真空断熱材により完全に分離されたことを特徴とする。
【００１５】
上記構成によると、外箱と真空断熱材との間の空間部と、前記真空断熱材と内箱との間の空間部とが、前記真空断熱材により完全に分離されているので、真空断熱材が外箱と内箱との空間部の全域に設置され、真空断熱材のカバー率を向上させることができる。
【００１６】
しかも、外箱と真空断熱材との間の外側空間部と、真空断熱材と内箱との間の内側空間部とのバランスを常時保つことができ、これらの空間部に発泡断熱材を注入しても発泡断熱材がバランス良く発泡し、従来のような空洞部や発泡強度不足のない断熱部を形成することができる。
【００１７】
このような断熱箱体の製造方法は、外箱と内箱との間の空間部に設けられた真空断熱材により、外箱と前記真空断熱材との間の外側空間部と、前記真空断熱材と内箱との間の内側空間部とを、前記真空断熱材により完全に分離し、前記内側空間部と外側空間部にそれぞれ別々に発泡断熱材を注入し、発泡成長させる。
【００１８】
真空断熱材による空間部の完全分離は、外箱の前面側でも行われる。外箱の前面側と内箱との接合部において、その裏面側と真空断熱材の側端面とが密接される。真空断熱材と接合部との密接は、真空断熱材を接合部に直接接着する以外に、シーラーを使用する。このシーラーは、接合部と接離可能に構成され、内側空間部と外側空間部とのバランス調整を行えるものが好ましい。
【００１９】
上記構成によると、前記外箱と内箱との接合部周辺において、外箱と真空断熱材との間の外側空間部と、前記真空断熱材と内箱との間の内側空間部とが完全に分離される。
【００２０】
また、外箱と、内箱と、前記外箱と内箱との間の空間部に設けられた真空断熱材とを備え、前記空間部は、冷蔵庫本体の両側面部、天面部、底面部および背面部に形成され、これらの空間部に夫々真空断熱材が設置され、これら真空断熱材の各側端縁同士が密着される。
【００２１】
上記構成によると、冷蔵庫本体の両側面部、天面部、底面部および背面部の空間部に夫々真空断熱材が設置されるので、真空断熱材の面積を向上させることができる。
【００２２】
この際、冷蔵庫本体の両側面部、天面部、底面部および背面部の空間部に夫々設置される真空断熱材の各側端縁同士は、真空断熱材の真空破壊あるいは注入する断熱材の通過が発生しないように、シーラーにより接合されるのが好ましい。
【００２３】
上記構成によると、真空断熱材の各側端縁同士がシーラーにより接合されるので、真空断熱材の真空破壊や注入するウレタン原液などの発泡断熱材の通過を阻止することができ、ウレタン発泡の流動性を安定化させることができる。
【００２４】
また、外箱と真空断熱材との間の外側空間部と、前記真空断熱材と内箱との間の内側空間部とに、断熱発泡材をそれぞれ別々に注入させる注入手段を設けることができる。
【００２５】
この注入手段としては、冷蔵庫本体の背面側に発泡断熱材を注入する注入口を設け、該注入口に対応して前記真空断熱材又は発泡シーラー部に注入口からの発泡断熱材を内側空間部に導く中間注入孔を形成し、該中間注入孔を開閉自在に閉塞する蓋体を設けることができる。
【００２６】
上記構成によると、外箱と真空断熱材との間の外側空間部と、前記真空断熱材と内箱との間の内側空間部とを、それぞれ別々に注入させる注入手段を設けることにより、発泡断熱材の流れがスムーズになり、安定した品質のよい断熱層を形成することができ、断熱部の空洞部や発泡強度不足を解消することができる。
【００２７】
なお、真空断熱材は、発泡圧によって移動し、内側空間部と外側空間部とのバランスが崩れるのを防止するため、真空断熱材を保持する保持機構を設けることが好ましい。この保持機構は、例えば、内箱と外箱との間で真空断熱材を挟み込む保持部材を配置する構成や、真空断熱材を保持部材を介して内箱及び／又は外箱に接着保持する構成を例示することができる。いずれの場合も、保持材はウレタン原液など断熱発泡材の注入時に原液の流動性を極力阻害しないように配置することが望ましい。
【００２８】
上記のような断熱箱体の内部または外部に冷凍サイクルを設けると、冷却性能に優れた冷蔵庫を提供することができる。
【発明の効果】
【００２９】
本発明によると、外箱と真空断熱材との間の外側空間部と、前記真空断熱材と内箱との間の内側空間部とが前記真空断熱材により完全に分離されるので、真空断熱材が外箱と内箱との空間部の全域に設置され、真空断熱材のカバー率を向上させることができる。しかも、外箱と真空断熱材との間の外側空間部と、真空断熱材と内箱との間の内側空間部とのバランスを常時保つことができ、これらの空間部に発泡断熱材を注入しても発泡断熱材がバランス良く発泡し、品質のよい断熱箱体を提供することができる。
【発明を実施するための最良の形態】
【００３０】
以下、本発明の実施形態である冷蔵庫の断熱箱体について図面を参照して説明する。なお、図５は本実施形態と従来の形態とで共通する図面であるので、必要に応じて説明に使用する。また、図５〜図９の従来の冷蔵庫における機能部品と同一の機能部品については同一の符号を付して説明する。
【００３１】
図１は本発明の実施形態を示す冷蔵庫本体の正面図である。図２は図１のＡ−Ａ断面図、図３および図４は図２のＢ範囲の拡大図である。
【００３２】
本実施形態の冷蔵庫は、冷蔵庫本体１の主要部を構成する断熱箱体２０と、断熱箱体の下部機械室３に収容される冷却装置（図示略）とを主要構成部品としている。
【００３３】
断熱箱体２０は、外箱４と、内箱７と、前記外箱４と内箱７との間の空間部１０に埋設される真空断熱材６と、該真空断熱材６を除く前記空間部１０に充填される発泡断熱材９とを備えている。
【００３４】
外箱４は、前方に開口を有する鋼板製の板材から構成されている。通常、一枚の鋼板をコ字形に折り曲げ形成して左右側面部４ｂ、４ｃと天面部４ｄとが形成される。背面板２は左右側面部４ｂ、４ｃと天面部４ｄの後縁部に固着される。左右側面部４ｂ、４ｃおよび天面部４ｄの前端部は内側に折り曲げられ、内箱７の前端の内フランジと接合される。外箱４の底部を構成する底板（図示略）は、一枚の鋼板から背面板２と共に折り曲げ形成してもよい。この底板の前端部も内側に折り曲げられ、内箱７の前端の内フランジと接合される。
【００３５】
内箱７は、硬質樹脂製のものであって、凹状に形成された冷蔵室、冷凍室、野菜室等の複数の貯蔵室が仕切壁８によって上下に仕切られている。
【００３６】
真空断熱材６は、ガスの透過を阻止する多層ラミネート構造のフィルムから成る外被袋６ａと、シリカ・パーライト等の微粉末もしくは無機繊維等からなる芯材６ｂとから構成される。
【００３７】
芯材６ｂは、上記構造以外に、連続気泡合成樹脂フォームからなる板状部材と、無機繊維及び／又は有機繊維からなる繊維状材料の積層体とから構成してもよい。フォームとして連続気泡を用いるのは真空引きする際に、独立気泡のフォームよりは減圧効果が得られやすいからである。
【００３８】
外被袋６ａは、ガスバリア性を有し、芯材６ｂを収納して内部を減圧状態に維持できるものであれば、どのようなものを用いてもよい。中でもヒートシール可能なものが好ましい。例えば、ポリアミド系樹脂、アルミ蒸着（ＰＥＴ）ポリエチレンテレフタレート、アルミ箔、そして最内層に高密度ポリエチレン樹脂を配置した多層ラミネート構造のガスバリアフィルムを挙げることができる。
【００３９】
真空断熱材６の成形は、芯材６ｂを外被袋６ａに封入した後、外被袋６ａ内のガス（空気）を排気し、真空状にしてヒートシールにより密封して成形する。この真空断熱材６の熱伝導率は、０．００８〜０．０００５Ｗ／ｍ・Ｋと断熱性能が非常に優れている。そのため、断熱箱体の壁厚を薄くしても、庫内に侵入してくる熱量を有効に削減することができる。
【００４０】
そして、外箱４と内箱７との間に形成される空間部１０は、真空断熱材６によって、外箱４と真空断熱材６と間の外側空間部１０ａと、前記真空断熱材６と内箱７との間の内側空間部１０ｂとが、完全に分離された構造になっている。
【００４１】
また、冷蔵庫本体１の前面側と内箱との接合部において、その裏面と真空断熱材６の側端面とが完全に密接されている。具体的には、外箱４の前面側には内側に折り曲げ形成された折り曲げフランジ４ａが形成されており、この折り曲げフランジ４ａと内箱７の先端のフランジとが接合されて断熱箱体の前面枠部を構成する。このような断熱箱体の前面枠部の裏面、具体的には、外箱４の折り曲げフランジ４ａの裏面と真空断熱材６の側端面とをシーラー等の接合手段により密接させる。
【００４２】
図２に外箱４の折り曲げフランジ４ａの裏面と真空断熱材６の側端面とをシーラー２８により接合した状態を示す。シーラー２８は、真空断熱材６の側端面に接着されるが、外箱４の折り曲げフランジ４ａの裏面とは密接させているだけで、接着しない仕様とする。これは、発泡シーラー２８をフランジ４ａに接着させる仕様とした場合、真空断熱材６を取り付ける作業時に位置の不適正が生じたとき、真空断熱材６の取り外しに手間取るからである。発泡シーラー２８とフランジ４ａとを接着しないようにするには、フランジ側に剥離剤を塗布しておくのが良い。
【００４３】
このように、断熱箱体２０の前面枠部における折り曲げフランジ４ａの裏面と真空断熱材６の側端面とをシーラー２８などの接合手段により密接させると、折り曲げフランジ４ａの周辺における外箱４と真空断熱材６との間の外側空間部１０ａと、真空断熱材６と内箱７との間の内側空間部１０ｂとを完全に分離することができる。
【００４４】
なお、本実施形態では、発泡シーラー２８をフランジ４ａに接着しない態様を例示したが、真空断熱材の位置合わせがスムーズに行える場合には接着してもよいことは勿論である。
【００４５】
また、真空断熱材６によって、外箱４と真空断熱材６の外側空間部１０ａと、前記真空断熱材６と内箱７との間の内側空間部１０ｂとを完全に分離するために、外箱４と内箱７の間の空間部１０に配置する真空断熱材６は、図１に示すように、冷蔵庫本体１の両側面部、天面部、底面部および背面部にそれぞれ配置され、さらに各真空断熱材６の側端縁同士が密着される。
【００４６】
各真空断熱材６の側端縁同士の密着構造は、図３に示すように、真空断熱材６の真空破壊あるいは注入する断熱材の通過が発生しないように、軟質発泡シーラー２１により真空断熱材６の側端面同士が貼り付けられている。
【００４７】
このように真空断熱材６により外側空間部１０ａと内側空間部１０ｂとに区画された空間部に発泡断熱材６となるウレタン原液を注入し、発泡成長させる。このとき、発泡圧により真空断熱材６の位置が動かないように保持手段が設けられる。保持手段は、例えば、ウレタンの発泡成長を阻害しないように、外箱４及び内箱７の内側から真空断熱材を保持する保持部材２９から構成される。保持部材２９は、断面Ｈ型の長尺の樹脂部材（例えば、ＡＢＳ樹脂、ポリプロピレンなど）から構成される。保持部材２９は、内箱７の裏面の所定の位置にホットメルトにより貼り付けられる。保持部材２９の内箱と反対側面にもホットメルト剤が塗布され、その上から真空断熱材６が貼り付け保持される。
【００４８】
また、外箱４と真空断熱材６との間の外側空間部１０ａと、真空断熱材６と内箱７との間の内側空間部１０ｂとに、それぞれ断熱発泡材料（ウレタン原液）を注入させる注入口５を分けて発泡断熱形成させる。
【００４９】
図３は真空断熱材６と内箱４の内側空間部１０ｂに発泡断熱材の原液であるウレタン原液を注入している状態を示している。図４は真空断熱材６と外箱４との間の外側空間部１０ａにウレタン原液を注入している状態を示している。
【００５０】
図３および図４に示す、いずれの場合も外箱４の背面板２には、ウレタン原液を注入する注入口５が形成され、該注入口５を開閉自在に閉塞する開閉蓋２７が背面板２の裏面側に配置されている。
【００５１】
また、この注入口５に対向して真空断熱材６には、前記注入口５に対応して注入口５からのウレタン原液を内側空間部１０ｂに導く中間注入孔２４が形成され、該中間注入孔２４を開閉自在に閉塞する蓋体２５が真空断熱材６の下面側に配置されている。なお、中間注入孔２４は、真空断熱材６に設けたが、軟質シーラー２１部分に形成してもよい。
【００５２】
なお、図示しないが、背面板２の内側には冷却装置（図示略）の放熱パイプが埋設されており、冷凍サイクルの一部を構成するようになっている。
【００５３】
次に、断熱箱体の製造方法を説明すると、まず、冷蔵庫本体１の背面板２のウレタン注入口５に注入ヘッド１３を挿入し、注入ヘッド１３から発泡断熱材９の原液であるウレタン原液を注入する。
【００５４】
この状態では、ウレタン原液を注入する注入ヘッド１３が、背面部の真空断熱材６に予め加工されている中間注入孔２４を貫通して真空断熱材６と内箱７との間の内側空間部１０ｂに到達しており、ウレタン原液９は内側空間部１０ｂに注入される。
【００５５】
この注入されたウレタン原液は、冷蔵庫本体１の前面側に落下した後、発泡を開始する。発泡が開始されると、内側空間部１０ｂと外側空間部１０ａとは完全に分離しているので、発泡成長過程で、内側空間部全体がウレタン断熱発泡材９によって充填されることになる。ウレタン原液を注入する際、注入ヘッド１３は図５に示す上側２箇所の注入口５からだけ挿入すればよい。
【００５６】
なお、このとき、真空断熱材６は、保持部材２９により内箱４に保持されているが、保持部材２９の内箱への貼り付け方向は、内箱４の高さ方向に対して垂直方向になっている。そのため、背面側の注入口５からウレタン原液を注入したとき、ウレタン原液の流動を阻害しない方向に保持部材２９が貼り付けられているので、発泡成長を阻害するのを防止することができる。
【００５７】
次に、図４に示すように、注入ヘッド１３を内側空間部１０ｂから外側空間部１０ａに戻し、外側空間部１０ａにウレタン原液を注入する。そうすると、ウレタン原液が冷蔵庫本体１の前面側に落下し、発泡を開始する。発泡が開始されると、内側空間部１０ｂと外側空間部１０ａとは完全に分離しているので、発泡成長過程で外側空間部全体がウレタン断熱発泡材９によって充填されることになる。
【００５８】
なお、このウレタン原液を注入する際、注入ヘッド１３は図５に示す下側２箇所の注入口５からだけ挿入すればよい。
【００５９】
なお、図３および図４に基づいて説明したウレタン原液の注入は、冷蔵庫本体の形状や構造仕様により、ウレタン注入口５と注入ヘッド１３の使い分けが逆の組合せになる場合もある。要するに、良好なウレタン断熱発泡９を満足するためには、自由に使い分ける必要がある。この使い分けにより、ウレタン発泡の流動状態がアンバランスとなっても、安定したウレタン発泡９が可能となる。
【００６０】
従って、従来のように、数箇所から発泡先端部が寄り合う集結部においてウレタン発泡断熱材９の空洞部やウレタン発泡断熱材９の樹脂や泡の強度不足が発生するのを防止することができ、発泡材の流動について制御幅が拡がり、充填性あるいはウレタン原液の使用量の低減が可能となり、より品質の安定した冷蔵庫の断熱箱体を得ることができる。
【００６１】
なお、本発明は上記実施形態に限定されるものではなく、本発明の範囲内で多くの修正・変更を加えることができるのは勿論である。例えば、本実施形態では断熱発泡材として発泡ウレタンを例示したが、これに限定されるものではなく、他の発泡樹脂材であってもよいことは勿論である。
【図面の簡単な説明】
【００６２】
【図１】本発明の実施形態を示す冷蔵庫本体の正面図
【図２】図１のＡ−Ａ断面図
【図３】図２のＢ範囲の拡大図で、内側空間部にウレタン原液を注入している状態を示す図
【図４】図２のＢ範囲の拡大図で、外側空間部にウレタン原液を注入している状態を示す図
【図５】冷蔵庫本体を背面から見た斜視図
【図６】従来の冷蔵庫の断熱箱体の正面図
【図７】図６のＣ−Ｃ断面図
【図８】図６のＣ−Ｃ断面図において、ウレタン原液を注入しウレタン発泡を行っている状態で示す図
【図９】図８のＤ範囲の拡大図
【符号の説明】
【００６３】
１    冷蔵庫本体
２    背面板
３    機械室
４    外箱
５    注入口
６    真空断熱材
７    内箱
８    仕切壁
９    ウレタン発泡
１０    空間部
１０ａ    外側空間部
１０ｂ    内側空間部
１３    注入ヘッド
２０    断熱箱体
２１    軟質シーラー
２４    中間注入孔
２５    蓋体
２７    蓋体
２８    シーラー
２９    保持部材
【図１】
2010145002.tif 000003
【図２】
2010145002.tif 000004
【図３】
2010145002.tif 000005
【図４】
2010145002.tif 000006
【図５】
2010145002.tif 000007
【図６】
2010145002.tif 000008
【図７】
2010145002.tif 000009
【図８】
2010145002.tif 000010
【図９】
2010145002.tif 000011